(57)【要約】【課題】ページ順間違い、ページ抜けやページ間違いの丁合ミス等を防止して適正にページの揃った１つのジョブ出力結果を得ることである。【解決手段】ページ毎に複数の画像形成装置のうち、入力ジョブ制御部１２０２がいずれの画像形成装置に分配すべきかを判断し、該判断結果に基づき、前記クライアントコンピュータより入力されたジョブを画像形成装置のうち、異なるタイプの画像形成装置に分配し、該分配された各分配ジョブを各出力特性に合わせてＲＩＰ１２０３ａ〜１２０３ｃ等により各画像形成装置が出力可能なイメージデータに展開処理して分割ジョブデータを生成した後、該展開された各分割ジョブデータを出力特性に合致するいずれかの画像形成装置に出力デバイス制御部１２０６が転送する構成を特徴とする。【選択図】　　　図１５
2004078379.tif 000002
【特許請求の範囲】
【請求項１】
シートに綴じ込み処理を行う綴じ込み手段を接続可能な複数の画像形成装置とクライアントコンピュータとがネットワークを介して接続されているサーバ装置であって、
前記クライアントコンピュータより入力されたジョブについて、ページ毎に前記複数の画像形成装置のうち、どの画像形成装置に分配すべきかを判断する判断手段と、
前記判断手段の判断結果に基づき、該画像形成装置に分配するジョブ分配手段と、
前記ジョブ分配手段により分配された各分配ジョブを複数の画像形成装置のそれぞれの出力特性に合わせたイメージデータに展開処理し、分割ジョブデータを生成する複数のラスタ展開手段と、
各ラスタ展開手段により展開された各分割ジョブデータを前記出力特性に合致する画像形成装置に転送する制御手段と、
を有することを特徴とするサーバ装置。
【請求項２】
同一の画像形成装置に分配するジョブ中に同一特性となるページが複数ページ分連続している状態を検知する連続検知手段を有し、
前記制御手段は、前記連続検知手段により同一特性となるページが連続している状態を検知した場合に、同一特性となるページを綴じ込み処理する指示を前記分割ジョブデータに付加して転送することを特徴とする請求項１記載のサーバ装置。
【請求項３】
前記画像形成装置において使用される用紙サイズを検知する用紙サイズ検知手段と、
特定の用紙サイズのみ綴じ可能とする綴じ込みサイズをあらかじめ設定する綴じ込みサイズ設定手段とを有し、
前記制御手段は、前記用紙サイズ検知手段が検知する用紙サイズと前記綴じ込みサイズ設定手段によって設定される用紙サイズとが一致する場合に、綴じ込み処理する指示を前記分割ジョブデータに付加して転送することを特徴とする請求項２記載のサーバ装置。
【請求項４】
前記制御手段は、ステイプルによる綴じ込みを行う綴じ込み手段を有する画像形成装置に対して、ステイプルコマンドを転送することを特徴とする請求項２記載のサーバ装置。
【請求項５】
前記制御手段は、糊付けを行う綴じ込み手段を有する画像形成装置に対して、糊付けコマンドを転送することを特徴とする請求項２記載のサーバ装置。
【請求項６】
シートに綴じ込み処理を行う綴じ込み手段を接続可能な複数の画像形成装置とクライアントコンピュータとがネットワークを介して接続されているサーバ装置におけるジョブ処理方法であって、
前記クライアントコンピュータより入力されたジョブについて、ページ毎に前記複数の画像形成装置のうち、どの画像形成装置に分配すべきかを判断する判断ステップと、
前記判断ステップの判断結果に基づき、該画像形成装置に分配するジョブ分配ステップと、
前記ジョブ分配ステップにより分配された各分配ジョブを複数の画像形成装置のそれぞれの出力特性に合わせたイメージデータに展開処理し、分割ジョブデータを生成する複数のラスタ展開ステップと、
各ラスタ展開ステップにより展開された各分割ジョブデータを前記出力特性に合致する画像形成装置に転送する制御ステップと、
を有することを特徴とするジョブ処理方法。
【請求項７】
同一の画像形成装置に分配するジョブ中に同一特性となるページが連続している状態を検知する連続検知ステップを有し、
前記制御ステップは、前記連続検知ステップにより同一特性となるページが複数ページ分連続している状態を検知した場合に、同一特性となるページを綴じ込み処理する指示を前記分割ジョブデータに付加して転送することを特徴とする請求項６記載のジョブ処理方法。
【請求項８】
前記画像形成装置において使用される用紙サイズを検知する用紙サイズ検知ステップと、
特定の用紙サイズのみ綴じ可能とする綴じ込みサイズをあらかじめ設定する綴じ込みサイズ設定ステップとを有し、
前記制御ステップは、前記用紙サイズ検知ステップが検知する用紙サイズと前記綴じ込みサイズ設定ステップによって設定される用紙サイズとが一致する場合に、綴じ込み処理する指示を前記分割ジョブデータに付加して転送することを特徴とする請求項７記載のジョブ処理方法。
【請求項９】
前記制御ステップは、ステイプルによる綴じ込みを行う綴じ込み手段を有する画像形成装置に対して、ステイプルコマンドを転送することを特徴とする請求項７記載のジョブ処理方法。
【請求項１０】
前記制御ステップは、糊付けを行う綴じ込み手段を有する画像形成装置に対して、糊付けコマンドを転送することを特徴とする請求項７記載のジョブ処理方法。
【請求項１１】
請求項６乃至１０のいずれかに記載のジョブ処理方法を実現するプログラムを記憶したことを特徴とするコンピュータが読み取り可能な記憶媒体。
【請求項１２】
請求項６乃至１０のいずれかに記載のジョブ処理方法を実現することを特徴とするプログラム。
【発明の詳細な説明】
【０００１】
【発明の属する技術分野】
本発明は、シートに綴じ込み処理を行う綴じ込み手段を接続可能な複数の異なるタイプの画像形成装置とクライアントコンピュータとがネットワークを介して接続されて通信可能なサーバ装置およびジョブ処理方法およびコンピュータが読み取り可能な記憶媒体およびプログラムに関するものである。
【０００２】
【従来の技術】
従来から、画像形成を行うに当たり、ユーザはコンピュータ上から所望のプリンタを選択し、ＬＡＮなどの公衆回線や専用のインタフェースを経由して、所望のジョブを選択したプリンタにプリントさせていた。
【０００３】
また、サーバ・クライアント方式と呼ばれ、クライアントユーザのジョブがドキュメントサーバを経由して、プリンタに送られる方式も広く知られている。
【０００４】
しかしながら、近年プリント・オン・ディマンドといわれる軽印刷の市場において、コンピュータから送信した大量のジョブを画像形成装置でプリントする機会が増加しており、大量のジョブをいかに安く、いかに効率よくプリントするかが求められている。
【０００５】
そのためには、１つのジョブを１つの画像形成装置でプリントするのでは効率が悪いため、大量のジョブを扱えるサーバとそれにつながる複数台の画像形成装置が必須となり、特に大量のプリントを行わせる場合には、プリントパフォーマンスが重要な要素の１つとなる。
【０００６】
さらに、カラープリントは白黒プリントに比べてパープリントコストが高く、カラー白黒が混在するジョブにおいては、カラーページをカラーの画像形成装置でプリントし、白黒ページを白黒の画像形成装置でプリントすれば、大量プリントでは、ランニングコストにおいてかなりの優位性が見られる。
【０００７】
そこで、従来の技術では、ドキュメントサーバにカラー／白黒、あるいは複数台の画像形成装置を接続することと、ドキュメントサーバ内に複数個のＲＩＰを用意し、それぞれの画像形成装置の特性に合わせたそれぞれのＲＩＰを行い、それによるジョブの自動分割を行うことにより、大量ジョブを高パフォーマンスかつ、低ランニングコストにて提供可能となった。
【０００８】
【発明が解決しようとする課題】
このような画像処理システムにおいては、分割されて別々の画像形成装置に出力された紙を手作業で一つの冊子に仕立て上げる製本作業が必要である。この作業が手作業であるがゆえに、ページ順間違い、ページ抜けやページ間違い、上下の間違い、紙の折れ、紙のずれ等のミスが発生しやすいという問題点があり、ミス発生の低減が課題となっている。
【０００９】
本発明は、上記の問題点を解決するためになされたもので、本発明の目的は、クライアントコンピュータより入力されたジョブについて、ページ毎に前記複数の画像形成装置のうち、いずれの画像形成装置に分配すべきかを判断し、該判断結果に基づき、前記クライアントコンピュータより入力されたジョブを前記画像形成装置のうち、いずれか２種類以上の異なるタイプの画像形成装置に分配し、該分配された各分配ジョブをそれぞれの出力特性に合わせて各画像形成装置が出力可能なイメージデータに展開処理して分割ジョブデータを生成した後、該展開された各分割ジョブデータを出力特性に合致するいずれかの画像形成装置に転送することにより、分配ジョブ出力後、ユーザによる１つのジョブへの丁合処理時に、ページ順間違い、ページ抜けやページ間違いの丁合ミス等を防止して、ページ順や出力特性に応じた分割ジョブ出力をページが揃った状態で適時綴じ込まれた分割ジョブ出力結果を容易に回収して、適正にページの揃った１つのジョブ出力結果を容易かつミスなく製本できる画像処理環境を自在に整備することができるサーバ装置およびジョブ処理方法およびコンピュータが読み取り可能な記憶媒体およびプログラムを提供することである。
【００１０】
【課題を解決するための手段】
本発明に係る第１の発明は、シートに綴じ込み処理を行う綴じ込み手段を接続可能な複数の画像形成装置とクライアントコンピュータとがネットワークを介して接続されているサーバ装置であって、前記クライアントコンピュータより入力されたジョブについて、ページ毎に前記複数の画像形成装置のうち、どの画像形成装置に分配すべきかを判断する判断手段（図１５に示す入力ジョブ制御部１２０２に相当）と、前記判断手段の判断結果に基づき、該画像形成装置に分配するジョブ分配手段（図１５に示す入力ジョブ制御部１２０２に相当）と、前記ジョブ分配手段により分配された各分配ジョブを複数の画像形成装置のそれぞれの出力特性に合わせたイメージデータに展開処理し、分割ジョブデータを生成する複数のラスタ展開手段（図１５に示すＲＩＰ１２０３ａ〜１２０３ｃ）と、各ラスタ展開手段により展開された各分割ジョブデータを前記出力特性に合致するいずれかの画像形装置に転送する制御手段（図１５に示す出力デバイス制御部１２０６に相当）とを有することを特徴とする。
【００１１】
本発明に係る第２の発明は、同一の画像形成装置に分配するジョブ中に同一特性となるページが複数ページ分連続している状態を検知する連続検知手段（図１５に示す入力ジョブ制御部１２０２に相当）を有し、前記制御手段は、前記連続検知手段により同一特性となるページが連続している状態を検知した場合に、同一特性となるページを綴じ込み処理する指示を前記分割ジョブデータに付加して転送することを特徴とする。
【００１２】
本発明に係る第３の発明は、前記画像形成装置において使用される用紙サイズを検知する用紙サイズ検知手段（図１５に示す入力ジョブ制御部１２０２に相当）と、特定の用紙サイズのみ綴じ可能とする綴じ込みサイズをあらかじめ設定する綴じ込みサイズ設定手段（図１５に示す入力デバイス制御部１２０１に相当）とを有し、前記制御手段は、前記用紙サイズ検知手段が検知する用紙サイズと前記綴じ込みサイズ設定手段によって設定される用紙サイズとが一致する場合に、綴じ込み処理するように綴じ込み指示を前記分割ジョブデータに付加して転送することを特徴とする。
【００１３】
本発明に係る第４の発明は、前記制御手段は、ステイプルによる綴じ込みを行う綴じ込み手段を有する画像形成装置に対して、ステイプルコマンドを転送することを特徴とする。
【００１４】
本発明に係る第５の発明は、前記制御手段は、糊付けを行う綴じ込み手段を有する画像形成装置に対して、糊付けコマンドを転送することを特徴とする。
【００１５】
本発明に係る第６の発明は、シートに綴じ込み処理を行う綴じ込み手段を接続可能な複数の画像形成装置とクライアントコンピュータとがネットワークを介して接続されているサーバ装置におけるジョブ処理方法であって、前記クライアントコンピュータより入力されたジョブについて、ページ毎に前記複数の画像形成装置のうち、どの画像形成装置に分配すべきかを判断する判断ステップ（図２７に示すステップＳ２３０２）と、前記判断ステップの判断結果に基づき、該画像形成装置のうち、いずれか２種類以上の異なるタイプの画像形成装置に分配するジョブ分配ステップ（図２７に示すステップＳ２３０４，Ｓ２３０５，Ｓ２３１４，Ｓ２３１５）と、前記ジョブ分配ステップにより分配された各分配ジョブを複数の画像形成装置のそれぞれの出力特性に合わせて各画像形成装置が出力可能なイメージデータに展開処理して分割ジョブデータを生成する複数のラスタ展開ステップ（図２７に示すステップＳ２３０１，Ｓ２３１２）と、各ラスタ展開ステップにより展開された各分割ジョブデータを前記出力特性に合致する画像形成装置に転送する制御ステップ（図２７に示すステップＳ２３２０）とを有することを特徴とする。
【００１６】
本発明に係る第７の発明は、同一の画像形成装置に分配するジョブ中に同一特性となるページが連続している状態を検知する連続検知ステップ（図２７に示すステップＳ２３０７，Ｓ２３１７）を有し、前記制御ステップは、前記連続検知ステップにより同一特性となるページが複数ページ分連続している状態を検知した場合に、同一特性となるページを綴じ込み処理する指示を前記分割ジョブデータに付加して転送することを特徴とする。
【００１７】
本発明に係る第８の発明は、前記画像形成装置において使用される用紙サイズを検知する用紙サイズ検知ステップ（図３０に示すステップＳ３１０７，Ｓ３１１７，Ｓ３１１１）と、特定の用紙サイズのみ綴じ可能とする綴じ込みサイズをあらかじめ設定する綴じ込みサイズ設定ステップ（初期設定は、ジョブの処理とは別に、あらかじめ設定されるステップであり、特に、綴じ込みサイズ設定は、図２９のＵＩ画面を介して設定される）とを有し、前記制御ステップは、前記用紙サイズ検知ステップが検知する用紙サイズと前記綴じ込みサイズ設定ステップによって設定される用紙サイズとが一致する場合に、綴じ込み処理する指示を前記分割ジョブデータに付加して転送することを特徴とする。
【００１８】
本発明に係る第９の発明は、前記制御ステップは、ステイプルによる綴じ込みを行う綴じ込み手段を有する画像形成装置に対して、ステイプルコマンドを転送することを特徴とする。
【００１９】
本発明に係る第１０の発明は、前記制御ステップは、糊付けを行う綴じ込み手段を有する画像形成装置に対して、糊付けコマンドを転送することを特徴とする。
【００２０】
本発明に係る第１１の発明は、第６乃至第１０の発明のいずれかに記載のジョブ処理方法を実現するプログラムを記憶したことを特徴とする。
【００２１】
本発明に係る第１２の発明は、第６乃至第１０の発明のいずれかに記載のジョブ処理方法を実現するプログラムであることを特徴とする。
【００２２】
【発明の実施の形態】
〔第１実施形態〕
〔システムの概要説明〕
図１は、本発明の第１実施形態を示すサーバ装置を適用可能な画像処理システムの構成を説明する概略図であり、例えばネットワークに接続されるサーバとクライアントコンピュータと、該サーバに接続された少なくとも２種類以上の異なるタイプの画像処理装置からシステムが構成される場合に対応する。
【００２３】
なお、図２は、サーバ９９０２がネットワーク１０１に直接接続され、ＭＦＰ１０４がサーバ１０８を介して接続される従来の画像処理システムの構成を説明する概略図であり、図１に示した画像処理システムと対比して図１の構成について説明する。
【００２４】
図１に示すシステムでは、データ処理パフォーマンスを優先するために、図２に示すようなネットワーク１０１を２系統に分割し、これらをパブリックネットワーク１０１ａ、及びプライベートネットワーク１０１ｂと呼ぶこととする。
【００２５】
ドキュメントサーバ１０２には、ハードウエア上２系統のネットワークインタフェースカード（ＮＩＣ）を有しており、一方はパブリックネットワーク１０１ａ側に繋がるＮＩＣ１１１、他方はプリンタ側に接続するプライベートネットワーク１０１ｂ側に接続されたＮＩＣ１１２が存在する。
【００２６】
コンピュータ１０３ａ〜１０３ｃはドキュメントサーバ１０２にジョブを送るクライアントであり、図示しないがクライアントはこれらのほかにも多数接続されているものとし、以下クライアントを総称する場合には、クライアント１０３として説明する。
【００２７】
更にプライベートネットワーク１０１ｂにはＭＦＰ（Ｍｕｌｔｉ　Ｆｕｎｃｔｉｏｎ　Ｐｅｒｉｐｈｅｒａｌ：マルチファンクション周辺機器）１０５（ＭＦＰ１０５ａ〜１０５ｄからなる）及びプリンタ１０７が接続されている。ＭＦＰ１０５はモノクロにてスキャン、プリント、または低解像度や２値の簡易的なカラースキャン、カラープリントなどを行うＭＦＰである。また、図示していないがプライベートネットワーク１０１ｂ上には上記以外のＭＦＰを初め、スキャナ、プリンタ、あるいはＦＡＸなどその他の機器も接続されている。
【００２８】
ＭＦＰ１０４は高解像度、高階調のフルカラーでスキャン、またはプリントなどが可能なフルカラーＭＦＰであり、プライベートネットワーク１０１ｂに接続してデータの送受を行ってもよいが、データ量が膨大となるためここでは、独立したインタフェースで複数ビットを同時に送受できるものとし、ドキュメントサーバ１０２とは、独自のインタフェースカード１１３にて接続されている。
【００２９】
また、スキャナ１０６は紙ドキュメントからの画像イメージを取り込む装置で、ＳＩＳＩインタフェースに接続されるスキャナ１０６ａと、パブリックネットワーク（ネットワーク）１０１ａまたはプライベートネットワーク（ネットワーク）１０１ｂに接続されるスキャナ１０６ｂの２タイプがある。
【００３０】
次に、ドキュメントサーバ１０２のハードウエアの構成は、ＣＰＵやメモリなどが搭載されたマザーボード１１０と呼ばれる部分にＰＣＩバスと呼ばれるインタフェースで前述のＮＩＣ（Ｎｅｔｗｏｒｋ　Ｉｎｔｅｒｆａｃｅ　Ｃａｒｄ）１１１，１１２や、専用Ｉ／Ｆカード１１３、あるいはＳＣＳＩカード１１４などが接続されている。
【００３１】
ここで、クライアントコンピュータ（コンピュータ）１０３上では、いわゆるＤＴＰ（Ｄｅｓｋ　Ｔｏｐ　Ｐｕｂｌｉｓｈｉｎｇ）を実行するアプリケーションソフトウェアを動作させ、各種文書／図形が作成／編集される。
【００３２】
クライアントコンピュータ１０３は作成された文書／図形をページ記述言語（Ｐａｇｅ　Ｄｅｓｃｒｉｐｔｉｏｎ　Ｌａｎｇｕａｇｅ）に変換し、ネットワーク１０１ａを経由してＭＦＰ１０４や１０５に送られてプリントアウトされる。
【００３３】
ＭＦＰ１０４，１０５は、それぞれドキュメントサーバ１０２とネットワーク１０１ｂ、または専用インタフェース１０９を介して情報交換できる通信手段を有しており、ＭＦＰ１０４，１０５の情報や状態をドキュメントサーバ１０２、あるいはそれを経由してクライアントコンピュータ１０３側に逐次知らせる仕組みとなっている。
【００３４】
更に、ドキュメントサーバ１０２（あるいはクライアント１０３）は、その情報を受けて動作するユーティリティソフトウェアを持っており、ＭＦＰ１０４，１０５はドキュメントサーバ１０２（あるいはクライアントコンピュータ１０３）により管理される。
【００３５】
〔ＭＦＰ１０４，１０５の構成〕
次に、図３〜図１１を用いてＭＦＰ１０４，１０５の構成について説明する。但し、ＭＦＰ１０４とＭＦＰ１０５の差はフルカラーとモノクロの差であり、色処理以外の部分ではフルカラー機器がモノクロ機器の構成を包含することが多いため、ここではフルカラー機器に絞って説明し、必要に応じて、随時モノクロ機器の説明を加えることとする。
【００３６】
図３は、図１に示したＭＦＰ１０４，１０５ａ〜１０５ｄの構成を説明するブロック図である。
【００３７】
図３において、ＭＦＰ１０４，１０５は、画像読み取りを行うスキャナ部２０１とその画像データを画像処理するスキャナＩＰ部２０２、ファクシミリなどに代表される電話回線を利用した画像の送受信を行うＦＡＸ部２０３、更に、ネットワークを利用して画像データや装置情報をやりとりするＮＩＣ（Ｎｅｔｗｏｒｋ　Ｉｎｔｅｒｆａｃｅ　Ｃａｒｄ：ネットワークインタフェースカード）部２０４と、フルカラーＭＦＰ１０４との情報交換を行う専用Ｉ／Ｆ部２０５がある。そして、ＭＦＰ１０４，１０５の使い方に応じてコア部２０６で画像信号を一時保存し、経路を決定する。
【００３８】
次に、コア部２０６から出力された画像データは、プリンタＩＰ部２０７及びＰＷＭ部２０８を経由して画像形成を行うプリンタ部２０９に送られる。プリンタ部２０９でプリントアウトされたシートはフィニッシャ部２１０へ送り込まれ、シートの仕分け処理やシートの仕上げ処理が行われる。
【００３９】
〔スキャナ部２０１の構成〕
図４は、図３に示したスキャナ部２０１の構成を説明する概略断面図である。
【００４０】
図４において、３０１は原稿台ガラスであり、読み取られるべき原稿３０２が載置される。原稿３０２は照明ランプ３０３により照射され、その反射光はミラー３０４、３０５、３０６を経て、レンズ３０７によりＣＣＤセンサ（以下、単にＣＣＤという）３０８上に結像される。ミラー３０４、照明ランプ３０３を含む第１ミラーユニット３１０は速度Ｖで移動し、ミラー３０５、３０６を含む第２ミラーユニット３１１は速度１／２Ｖで移動することにより、原稿３０２の全面を走査する。第１ミラーユニット３１０及び第２ミラーユニット３１１はモータ３０９により駆動される。
【００４１】
〔スキャナＩＰ部２０２の構成〕
図５は、図３に示したスキャナＩＰ部２０２の構成を説明するブロック図であり、（Ａ）はカラースキャナの場合に対応し、（Ｂ）はモノクロスキャナの場合に対応する。
【００４２】
図５において、入力された光学的信号は、ＣＣＤ３０８により電気信号に変換される。このＣＣＤ３０８はＲＧＢ３ラインのカラーセンサであり、ＲＧＢそれぞれの画像信号としてＡ／Ｄ変換部４０１に入力される。ここでゲイン調整、オフセット調整をされた後、各色信号毎に８ｂｉｔのデジタル画像信号Ｒ０，Ｇ０，Ｂ０に変換される。その後、シェーディング補正部４０２により色ごとに、基準白色板の読み取り信号を用いた、公知のシェーディング補正が施される。
【００４３】
更に、ＣＣＤ３０８の各色ラインセンサは、相互に所定の距離を隔てて配置されているため、ラインディレイ調整回路（ライン補間部）４０３において、副走査方向の空間的ずれが補正される。
【００４４】
次に、入力マスキング部４０４は、ＣＣＤ３０８のＲ，Ｇ，Ｂフィルタの分光特性で決まる読取色空間を、ＮＴＳＣの標準色空間に変換する部分であり、ＣＣＤ３０８の感度特性／照明ランプのスペクトル特性等の諸特性を考慮した装置固有の定数を用いた３×３のマトリックス演算を行い、入力された（Ｒ０，Ｇ０，Ｂ０）信号を標準的な（Ｒ，Ｇ，Ｂ）信号に変換する。
【００４５】
更に、輝度／濃度変換部（ＬＯＧ変換部）４０５はルックアップテーブル（ＬＵＴ）ＲＡＭにより構成され、ＲＧＢの輝度信号がＣ１，Ｍ１，Ｙ１の濃度信号になるように変換される。
【００４６】
ＭＦＰ１０５によりモノクロの画像処理を行う場合には、図５の（Ｂ）に示すように、単色の１ラインＣＣＤ３０８を用いて、単色でＡ／Ｄ変換部４０１、及びシェーディング補正部４０２を行ったのちコア部２０６に送られる。
【００４７】
〔ＦＡＸ部２０３の構成〕
図６は、図３に示したＦＡＸ部２０３の構成を説明するブロック図である。
【００４８】
図６において、受信時には、電話回線から来たデータをＮＣＵ部５０１で受け取り電圧の変換を行い、モデム部５０２の中の復調部５０４でＡ／Ｄ変換及び復調操作を行った後、伸長部５０６でラスタデータに展開する。
【００４９】
一般にＦＡＸでの圧縮伸長にはランレングス法などが用いられる。ラスタデータに変換された画像は、メモリ部５０７に一時保管され、画像データに転送エラーがないことを確認後、コア部２０６へ送られる。
【００５０】
次に、送信時には、コア部２０６よりやってきたラスタイメージの画像信号に対して、圧縮部５０５でランレングス法などの圧縮を施し、モデム部５０２内の変調部５０３にてＤ／Ａ変換及び変調操作を行った後、ＮＣＵ部５０１を介して電話回線へと送られる。
【００５１】
〔ＮＩＣ部２０４の構成〕
図７は、図３に示したＮＩＣ部２０４の構成を説明するブロック図であり、パブリックネットワーク１０１ａに対してのインタフェースの機能を持つのが、このＮＩＣ部２０４であり、例えば１０ｂａｓｅ−Ｔ／１００ｂａｓｅ−ＴＸなどのＥｔｈｅｒｎｅｔ（登録商標）ケーブルなどを利用して外部からの情報を入手し、外部へ情報を流す役割を果たす。
【００５２】
図７において、外部より情報を入手する場合は、まず、トランス部６０１で電圧変換され、ＬＡＮコントローラ部６０２に送られる。ＬＡＮコントローラ部６０２は、その内部に第１バッファメモリ（不図示）を持っており、その情報が必要な情報か否かを判断した上で、第２バッファメモリ（不図示）に送った後、コア部２０６に信号を流す。
【００５３】
次に、外部に情報を提供する場合には、コア部２０６より送られてきたデータは、ＬＡＮコントローラ部６０２で必要な情報を付加して、トランス部６０１を経由して両ネットワーク１０１ａ，１０１ｂに接続される。
【００５４】
〔専用Ｉ／Ｆ部２０５の構成〕
また、図３に示した専用Ｉ／Ｆ部２０５は、フルカラー系のＭＦＰ１０４とのインタフェース部分でＣＭＹＫそれぞれ多値ビットがパラレルに送られているインタフェースであり、４色×８ｂｉｔの画像データと通信線からなる。
【００５５】
もし、Ｅｔｈｅｒｎｅｔ（登録商標）ケーブルを利用して送信すると、ＭＦＰ１０４に見合ったスピードで出力できない点と、ネットワークに接続された他のデバイスのパフォーマンスも犠牲になる点からこのような専用のパラレルインタフェースを用いている。
【００５６】
〔コア部２０６の構成〕
図８は、図３に示したコア部２０６の構成を説明するブロック図であり、コア部２０６のバスセレクタ部６１１は、ＭＦＰ１０４，１０５の利用における、いわば交通整理の役割を担っている。すなわち、複写機能、ネットワークスキャン、ネットワークプリント、ファクシミリ送信／受信、あるいはディスプレイ表示などＭＦＰ１０４，１０５における各種機能に応じてバスの切り替え、例えば複写機能処理時においては、スキャナ部２０１→コア部２０６→プリンタ部２０９と切り替え、例えばネットワークスキャン処理時においては、スキャナ部２０１→コア部２０６→ＮＩＣ部２０４と切り替え、例えばネットワークプリント処理時においては、ＮＩＣ部２０４→コア部２０６→プリンタ部２０９と切り替え、例えばファクシミリ送信機能処理時においては、スキャナ部２０１→コア部２０６→ＦＡＸ部２０３と切り替え、例えばファクシミリ受信機能処理時においては、ＦＡＸ部２０３→コア部２０６→プリンタ部２０９と切り替える。
【００５７】
次に、バスセレクタ部６１１を出た画像データは、圧縮部６１２、ハードディスク（ＨＤＤ）などの大容量メモリからなるメモリ部６１３、及び伸長部６１４を介してプリンタ部２０９へ送られる。
【００５８】
圧縮部６１２で用いられる圧縮方式は、ＪＰＥＧ，ＧＢＩＧ，ＺＩＰなど一般的なものを用いればよい。圧縮された画像データは、ジョブ毎に管理され、ファイル名、作成者、作成日時、ファイルサイズなどの付加データと一緒に格納される。
【００５９】
更に、ジョブの番号とパスワードを設けて、それらも一緒に格納すれば、パーソナルボックス機能をサポートすることができる。これは、データの一時保存や特定の人にしかプリントアウト（ハードディスク（ＨＤＤ）からの読み出し）ができない様にするための機能である。記憶されているジョブのプリントアウトの指示が行われた場合には、パスワードによる認証を行った後にメモリ部６１３より呼び出し、画像伸長を行ってラスタイメージに戻してプリンタ部２０９に送られる。
【００６０】
〔プリンタＩＰ部２０７の構成〕
図９は、図３に示したプリンタＩＰ部２０７の構成を説明するブロック図であり、（Ａ）はカラープリンタの場合に対応し、（Ｂ）はモノクロプリンタの場合に対応する。
【００６１】
図９において、７０１は出力マスキング／ＵＣＲ回路部であり、Ｍ１，Ｃ１，Ｙ１信号を画像形成装置のトナー色であるＹ，Ｍ，Ｃ，Ｋ信号にマトリクス演算を用いて変換する部分であり、ＣＣＤ３０８で読み込まれたＲＧＢ信号に基づいたＭ１，Ｃ１，Ｙ１，Ｋ１信号をトナーの分光分布特性に基づいたＹ，Ｍ，Ｃ，Ｋ信号に補正して出力する。
【００６２】
次に、ガンマ補正部７０２にて、トナーの色味諸特性を考慮したルックアップテーブル（ＬＵＴ）ＲＡＭを使って画像出力のためのＹ，Ｍ，Ｃ，Ｋデータに変換されて、空間フィルタ部７０３では、シャープネス、またはスムージングが施された後、画像信号はＰＷＭ部２０８へと送られる。７０４は２値化回路である。
【００６３】
〔ＰＷＭ部２０８の構成〕
図１０は、図３に示したＰＷＭ部２０８の構成を説明するブロック図であり、図１１は、図１０に示したＰＷＭ部２０８の動作を説明するためのタイミングチャートである。
【００６４】
図１０において、プリンタＩＰ部２０７を出たイエロー（Ｙ）、マゼンタ（Ｍ）、シアン（Ｃ）、ブラック（Ｋ）の４色に色分解された画像データ（ＭＦＰ１０５ａ〜１０５ｄの場合は、単色となる）はそれぞれのＰＷＭ部２０８を通ってそれぞれ画像形成される。
【００６５】
８０１は三角波発生部、８０２は入力されるデジタル画像信号をアナログ信号に変換するＤ／Ａコンバータ（Ｄ／Ａ変換部）である。三角波発生部８０１からの信号（図１１に示す信号２ａ）及びＤ／Ａコンバータ８０２からの信号（図１１に示す信号２ｂ）は、コンパレータ８０３で大小比較されて、図１１に示す信号２ｃとなってレーザ駆動部８０４に送られ、それぞれがＹ，Ｍ，Ｃ，Ｋそれぞれの半導体レーザ８０５で各レーザビームに変換される。
【００６６】
そして、ポリゴンスキャナ９１３で、それぞれのレーザビームを走査して、それぞれの感光ドラム９１７，９２１，９２５，９２９に照射される。
【００６７】
〔プリンタ部２０９の構成（カラー系のＭＦＰ１０４の場合）〕
図１２は、図１に示したＭＦＰ１０４の構成を説明する概略断面図である。
【００６８】
図１２において、９１３はポリゴンミラーであり、４つの半導体レーザより発光された４本のレーザ光を受ける。その内の１本はミラー９１４、９１５、９１６を経て感光ドラム９１７を走査し、次の１本はミラー９１８、９１９、９２０を経て感光ドラム９２１を走査し、次の１本はミラー９２２、９２３、９２４を経て感光ドラム９２５を走査し、次の１本はミラー９２６、９２７、９２８を経て感光ドラム９２９を走査する。
【００６９】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にブラックのトナー像を形成する。以上４色（Ｙ，Ｍ，Ｃ，Ｋ）のトナー像がシートに転写され、フルカラーの出力画像を得ることができる。
【００７０】
シートカセット９３４、９３５、および手差しトレイ９３６のいずれかより給紙されたシートは、レジストローラ９３７を経て、転写ベルト９３８上に吸着され、搬送される。給紙のタイミングと同期がとられて、予め感光ドラム９１７、９２１、９２５、９２９には各色のトナーが現像されており、シートの搬送とともに、トナーがシートに転写される。各色のトナーが転写されたシートは、分離され、搬送ベルト９３９により搬送され、定着器９４０によって、トナーがシートに定着される。
【００７１】
そして、定着器９４０を抜けたシートはフラッパ９５０により一旦下方向へ導かれてシートの後端がフラッパ９５０を抜けた後、スイッチバックさせて排出する。これによりフェイスダウン状態で排出され、先頭頁から順にプリントしたときに正しいページ順となる。
【００７２】
なお、４つの感光ドラム９１７、９２１、９２５、９２９は、距離ｄをおいて、等間隔に配置されており、搬送ベルト９３９により、シートは一定速度Ｖで搬送されており、このタイミングで同期がなされて、４つの半導体レーザは駆動される。
【００７３】
〔プリンタ部２０９の構成（モノクロＭＦＰで構成される場合）〕
図１３は、図１に示したモノクロＭＦＰ１０５の構成を説明する概略断面図である。
【００７４】
図１３において、１０１３はポリゴンミラーであり、４つの半導体レーザより発光されたレーザ光を受ける。レーザ光はミラー１０１４、１０１５、１０１６を経て感光ドラム１０１７を走査する。
【００７５】
１０３０は黒色のトナーを供給する現像器であり、レーザ光に従い、感光ドラム１０１７上にトナー像を形成し、トナー像がシートに転写され、出力画像を得ることができる。
【００７６】
シートカセット１０３４、１０３５、および手差しトレイ１０３６のいずれかより給紙されたシートは、レジストローラ１０３７を経て、転写ベルト１０３８上に吸着され、搬送される。給紙のタイミングと同期がとられて、予め感光ドラム１０１７にはトナーが現像されており、シートの搬送とともに、トナーがシートに転写される。トナーが転写されたシートは、分離され、定着器１０４０によって、トナーがシートに定着される。定着器１０４０を抜けたシートはフラッパ１０５０により一旦下方向へ導かれてシートの後端がフラッパ１０５０を抜けた後、スイッチバックさせて排出する。これによりフェイスダウン状態で排出され、先頭頁から順にプリントしたときに正しいページ順となる。
【００７７】
〔フィニッシャ部２１０の構成〕
図１４は、図３に示したフィニッシャ部２１０の構成を説明する概略断面図である。
【００７８】
図１４において、プリンタ部２０９の定着部９４０（または、１０４０）を出たシートは、フィニッシャ部２１０に入る。フィニッシャ部２１０には、サンプルトレイ１１０１及びスタックトレイ１１０２があり、ジョブの種類や排出されるシートの枚数に応じて切り替えて排出される。
【００７９】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式とがあり、両ソート方式によりソーティングを行うことができる。
【００８０】
なお、電子ソート機能は、コレートと呼ばれ、前述のコア部で説明した大容量メモリを利用して、バッファリングしたページ順と排出順を変更することで電子ソーティングの機能もサポートできる。次にグループ機能は、ソーティングがジョブ毎に振り分けるのに対し、ページ毎に仕分けする機能である。
【００８１】
更に、スタックトレイ１１０２に排出する場合には、シートが排出される前のシートをジョブ毎に蓄えておき、排出する直前にステープラ１１０５にてステイプルすることも可能である。
【００８２】
そのほか、上記２つのトレイに至るまでに、紙をＺ字状に折るためのＺ折り機１１０４、ファイル用の２つ（または３つ）の穴開けを行うパンチャ１１０６があり、ジョブの種類に応じてそれぞれの処理を行う。
【００８３】
更に、サドルステッチャ１１０７は、シートの中央部分を２ヶ所ステイプルした後に、シートの中央部分をローラに噛ませることによりシートを半折りし、週刊誌やパンフレットのようなブックレットを作成する処理を行う。サドルステッチャ１１０７で製本されたシートは、ブックレットトレイ１１０８に排出される。
【００８４】
そのほか、図には記載されていないが、製本のためのグルー（糊付け）によるバインドや、あるいはバインド後にバインド側と反対側の端面を揃えるためのトリム（裁断）などを加えることも可能である。
【００８５】
また、インサータ１１０３はトレイ１１１０にセットされたシートをプリンタへ通さずにトレイ１１０１、１１０２、１１０８のいずれかに送るためのものである。これによってフィニッシャ部２１０に送り込まれるシートとシートの間にインサータ１１０３にセットされたシートをインサート（中差し）することができる。
【００８６】
インサータ１１０３のトレイ１１１０にはユーザによりフェイスアップの状態でセットされるものとし、ピックアップローラ１１１１により最上部のシートから順に給送する。従って、インサータ１１０３からのシートはそのままトレイ１１０１、１１０２へ搬送することによりフェイスダウン状態で排出される。サドルステッチャ１１０７へ送るときには、一度パンチャ１１０６側へ送り込んだ後スイッチバックさせて送り込むことによりフェースの向きを合わせる。
【００８７】
〔ドキュメントサーバ１０２の構成〕
図１５は、図１に示したドキュメントサーバ１０２の構成を説明するブロック図である。
【００８８】
図１５において、ＮＩＣ１１１やＳＣＳＩ１１４から入力されたジョブは、入力デバイス制御部１２０１よりサーバ内に入り、サーバに様々なクライアントアプリケーションと連結することにおいてその役割を果たす。入力としてＰＤＬデータとＪＣＬ（Ｊｏｂ　Ｃｏｎｔｒｏｌ　Ｌａｎｇｕａｇｅ）データを受け付ける。それはプリンタとサーバに関する状態情報で様々なクライアントに対応し、このモジュールの出力は、適切なＰＤＬとＪＣＬの構成要素すべてを結合する役割を持つ。
【００８９】
次に、入力ジョブ制御部１２０２はジョブの要求されたリストを管理し、サーバに提出される個々のジョブにアクセスするために、ジョブリストを作成する。更に、このモジュールには、ジョブのルートを決めるジョブルーティング、分割してＲＩＰするか否かを司るジョブスプリット、そしてジョブの順序を決めるジョブスケジューリングの３つの機能がある。
【００９０】
複数個存在するラスタライズ処理（ＲＩＰ）部１２０３ａ，１２０３ｂ，１２０３ｃは必要に応じて更に増やすことも可能であるが、ここでは総称して１２０３と記載する場合がある。
【００９１】
ＲＩＰモジュールは様々なジョブのＰＤＬをＲＩＰ処理して、適切なサイズと解像度のビットマップを作成する。ＲＩＰ処理に関しては、Ｐｏｓｔｓｃｒｉｐｔ（ａｄｏｂｅ社の登録商標）をはじめ、ＰＣＬ、ＴＩＦＦ、ＪＰＥＧ、ＰＤＦなど様々なフォーマットのラスタライズ処理が可能である。
【００９２】
データ変換部１２０４は、ＲＩＰによって作り出されるビットマップイメージを圧縮し、フォーマット変換を施す役割を果たし、それぞれのプリンタにマッチした最適な画像イメージタイプを選び出す。例えば、ジョブをページ単位で扱いたい場合には、ＴＩＦＦやＪＰＥＧなどをＲＩＰ部でラスタライズした後のビットマップデータにＰＤＦヘッダを付けて、ＰＤＦデータとして編集するなどの処理を行う。
【００９３】
出力ジョブ制御部１２０５は、ジョブのページイメージを取って、それらがコマンド設定に基づいてどう扱われるのかを管理する。ページはプリンタに印刷され、ハードディスク（ＩｍａｇｅＤｉｓｋ）１２０７にセーブされる。印刷後のジョブは、ハードディスク１２０７に残すか否かは選択可能であり、セーブされた場合には、再呼び出しすることもできる。さらに、このモジュールはハードディスク１２０７とＲＡＭ１２０８との相互作用を管理する。
【００９４】
出力デバイス制御部１２０６は、どのデバイスに出力するか、またどのデバイスをクラスタリング（複数台接続して一斉にプリントすること）するかを司り、選択されたデバイスのインタフェースカード（ＮＩＣ）１１２または専用インタフェース（専用Ｉ／Ｆ）１１３に送られる。また、このモジュールはＭＦＰ１０４や１０５ａ〜１０５ｄの状態監視と装置状況をドキュメントサーバ１０２に伝える役割も果たしている。
【００９５】
ここで、ページ記述言語（Ｐａｇｅ　Ｄｅｓｃｒｉｐｔｉｏｎ　Ｌａｎｇｕａｇｅ：以後ＰＤＬと略する。）に基づくＰＤＬデータについて説明する。
【００９６】
ａｄｏｂｅ社のＰｏｓｔｓｃｒｉｐｔ（登録商標）言語に代表されるＰＤＬは、（ａ）文字コードによる画像記述，（ｂ）図形コードによる画像記述，（ｃ）ラスタ画像データによる画像記述の３要素に分類される。
【００９７】
すなわち、ＰＤＬは、上記の要素の組み合わせで構成された画像を記述する言語であり、それで記述されたデータをＰＤＬデータと呼ぶ。
【００９８】
図１６は、本発明に係る画像処理システムにおけるＰＤＬデータと該ＰＤＬデータから生成される画像イメージを説明する図である。
【００９９】
図１６の（Ａ）は文字情報Ｒ１３０１を記述した例であり、Ｌ１３１１は、文字の色を指定する記述であり、カッコの中は順にＣｙａｎ、Ｍａｇｅｎｔａ、Ｙｅｌｌｏｗ、Ｂｌａｃｋの濃度を表わしている。
【０１００】
最小は「０．０」であり、最大は「１．０」である。Ｌ１３１１では、文字を黒にすることを指定する。次に、Ｌ１３１２は変数Ｓｔｒｉｎｇ１に文字列”ＩＣ”を代入している。
【０１０１】
次にＬ１３１３では、第１、第２パラメータが、文字列をレイアウトする用紙上の開始位置座標のｘ座標とｙ座標を示し、第３パラメータが文字の大きさ、第４パラメータが文字の間隔を示しており、第５パラメータがレイアウトすべき文字列を示している。要するにＬ１３１３は座標（０．０，０．０）のところから、大きさ「０．３」、間隔「０．１」で文字列”ＩＣ”をレイアウトするという指示となる。
【０１０２】
次に、図形情報Ｒ１３０２を記述した例では、Ｌ１３２１はＬ１３１１と同様、線の色を指定しており、ここでは、Ｃｙａｎが指定されている。次に、Ｌ１３２２は、線を引くことを指定するためのものであり、第１、２パラメータが線の始端座標、第３、４パラメータが終端座標のそれぞれ、ｘ、ｙ座標である。第５パラメータは線の太さを示す。
【０１０３】
さらに、ラスタ画像情報Ｒ１３０３を記述した例では、Ｌ１３３１は、ラスタ画像を変数ｉｍａｇｅ１に代入している。ここで、第１パラメータはラスタ画像の画像タイプ、及び色成分数を表わし、第２パラメータは１色成分あたりのビット数を表わし、第３、第４パラメータは、ラスタ画像のｘ方向、ｙ方向の画像サイズを表わす。
【０１０４】
第５パラメータ以降が、ラスタ画像データである。ラスタ画像データの個数は、１画素を構成する色成分数、及びｘ方向、ｙ方向の画像サイズの積となる。Ｌ１３３１では、Ｃ，Ｍ，Ｙ，Ｋ画像は４つの色成分（Ｃｙａｎ、Ｍａｇｅｎｔａ、Ｙｅｌｌｏｗ、Ｂｌａｃｋ）から構成されるため、ラスタ画像データの個数は（４×５×５＝）１００個となる。次に、Ｌ１３３２は、座標（０．０，０．５）のところから、０．５×０．５の大きさにｉｍａｇｅ１をレイアウトすることを示している。
【０１０５】
図１６の（Ｂ）は、１ページの中で上記３つの画像記述を解釈して、ラスタ画像データに展開した様子を示したものである。
【０１０６】
Ｒ１３０１，Ｒ１３０２，Ｒ１３０３はそれぞれのＰＤＬデータを展開したものである。これらのラスタ画像データは、実際にはＣ，Ｍ，Ｙ，Ｋ色成分毎にＲＡＭ１２０８（あるいは、ＩｍａｇｅＤｉｓｋ１２０７）に展開されており、例えばＲ１３０１の部分は、各Ｃ，Ｍ，Ｙ，ＫのＲＡＭ１２０８に、Ｃ＝０、Ｍ＝０、Ｙ＝０、Ｋ＝２５５が書かれており、Ｒ１３０２の部分は、それぞれ、Ｃ＝２５５，Ｍ＝０，Ｙ＝０，Ｋ＝０が書き込まれる。
【０１０７】
ドキュメントサーバ１０２内では、クライアント１０３（あるいは、プリンタコントローラ自身）から送られてきたＰＤＬデータは、ＰＤＬデータのままか、上記のようにラスタ画像に展開された形で、ＲＡＭ１２０８（あるいは、ＩｍａｇｅＤｉｓｋ１２０７）に書き込まれ、必要に応じて保存されている。
【０１０８】
〔パブリックネットワーク１０１ａ〕
図１７は、図１に示したパブリックネットワーク１０１ａの構成を説明するブロック図である。
【０１０９】
図１７に示すように、パブリックネットワーク１０１ａは前述の図１のような構成がルータと呼ばれるネットワークを相互に接続する装置により接続され、ＬＡＮ（Ｌｏｃａｌ　Ａｒｅａ　Ｎｅｔｗｏｒｋ）と呼ばれる更なるネットワークを構成する。
【０１１０】
また、ＬＡＮ１４０６は、内部のルータ１４０１を介して、専用回線１４０８を通して、別のＬＡＮ１４０７内部のルータ１４０５に接続され、これらのネットワーク網は幾重にも張り巡らされて、広大な接続形態を構築している。
【０１１１】
図１８は、図１に示したパブリックネットワーク１０１ａ上のデータの流れを説明する図である。
【０１１２】
図１８において、送信元のデバイスＡ（デバイス１４２０ａ）に存在するデータ１４２１があり、そのデータは画像データでも、ＰＤＬデータでも、プログラムであっても構わない。これがパブリックネットワーク１０１ａを介して受信先のデバイスＢ（デバイス１４２０ｂ）に転送する場合、データ１４２１を細分化しイメージ的にデータ１４２２のように分割する。この分割されたデータ１４２３，１４２４，１４２６などに対して、ヘッダ１４２５と呼ばれる送り先アドレス（ＴＣＰ／ＩＰプロトコルを利用した場合には、送り先のＩＰアドレス）などを付加し、パケット１４２７として順次パブリックネットワーク１０１ａ上にパケットを送って行く。デバイスＢのアドレスとパケット１４３０のヘッダ１４３１が一致するとデータ１４３２は分離され、デバイスＡにあったデータの状態に再生される。
【０１１３】
〔スキャナドライバ〕
次に、スキャナドライバについて説明する。
【０１１４】
図１９は、図１に示したドキュメントサーバ１０２（またはクライアント１０３）上にて、スキャン動作を指示するためのスキャナドライバのＧＵＩ（Ｇｒａｐｈｉｃ　Ｕｓｅｒ　Ｉｎｔｅｒｆａｃｅ）の一例を示す図であり、該設定画面上で各項目に指示することでユーザは所望の設定パラメータを指示して、所望の画像イメージをデータ化する事が可能となる。
【０１１５】
図１９において、１５０１はスキャナドライバのウインドウであり、その中の設定項目として、１５０２はターゲットとなる送信元を選択するソースデバイス選択カラムである。一般的には前述のスキャナ部２０１のようなものであるが、メモリから画像を持ってきたり、あるいはデジタルカメラのようなものからでも構わない。
【０１１６】
１５０３は選択されたソースデバイスに関する詳細設定を行うためのボタンであり、ここをクリックすると別画面にてそのデバイス固有の設定情報を入力し、特殊な画像処理（例えば、文字モード／写真モード）を選択して、それに合った処理モードで画像入力が可能となる。
【０１１７】
１５０４はイメージサイズカラムで、イメージサイズを決める選択をする。１５０５は解像度カラムで、解像度が入力される。１５０６はカラーモードカラムで、カラーモードを選択する。また、１５０７〜１５０９は画像エリアのサイズを決める部分であり、それぞれ単位と縦横の長さを入力する。これらの指定を行った後、プリスキャンキー１５１２を押すと、ドキュメントサーバ１０２またはクライアント１０３より、ソースデバイス選択カラム１５０２で選択されたデバイスに指示がなされ、画像入力を開始する。
【０１１８】
ここでは、プリスキャンであるため実際の解像度より粗く画像読み取りが行われ、得られた画像はプレビュー画像１５１１として表示される。表示に当たっては、先ほどの画像エリアの単位１５０７に従ってスケール１５１０に表示される。
【０１１９】
ここで、プレビュー画像でＯＫと判断した場合には、スキャンキー１５１３をクリックすることにより、今度は設定された解像度にて行う。プレビュー画像がＮＧの場合には、再度プリスキャンを行って確かめ、キャンセルの場合には、キャンセルキー１５１４をクリックする。
【０１２０】
〔プリンタドライバ〕
次に、図２０を用いて、ドキュメントサーバ１０２またはクライアントコンピュータ１０３からプリンタドライバにより画像データをプリンタに送信する行程について説明する。
【０１２１】
図２０は、図１にドキュメントサーバ１０２またはクライアント１０３に接続される表示装置に表示されるプリンタ操作画面の一例を示す図であり、プリンタドライバは、プリント動作を指示するためのＧＵＩであり、これで指示することによりユーザは所望の設定パラメータを指示して、所望の画像イメージをプリンタなどの送信先に送る事が可能となる。
【０１２２】
図２０において、１６０１はプリンタドライバのウインドウであり、その中でユーザ設定可能な設定項目が表示される。
【０１２３】
１６０２はターゲットとなる出力先を選択する送信先選択カラムである。一般的には前述のＭＦＰ１０４，１０５あるいはプリンタ１０７である。
【０１２４】
１６０３はジョブの中から出力ページを選択するページ設定カラムであり、ドキュメントサーバ１０２またはクライアント１０３上で動作するアプリケーションソフトで作成された画像イメージのどのページを出力するかを決定する。
【０１２５】
１６０４は部数を指定する部数設定カラムである。１６０７は前記送信先選択カラム１６０２にて選択された送信先デバイスに関する詳細設定を行うためのプロパティキーであり、ここをクリックすると別画面にてそのデバイス固有の設定情報を入力し、特殊な画像処理、例えば、プリンタＩＰ部２０７内のガンマ補正部７０２や空間フィルタ部７０３のパラメータを変更することにより、より細かい色再現やシャープネス調整を行うことが可能となる。
【０１２６】
そして、所望の設定が済めば、ＯＫキー１６０５により印刷を開始する。取り消す場合には、キャンセルキー１６０６により印刷を取り止める。
【０１２７】
〔ジョブサブミッタ〕
図２１は、図１に示したドキュメントサーバ１０２またはクライアント１０３に接続される表示装置に表示されるジョブサブミッタ操作ウインドウ１７０１の一例を示す図であり、利用方法は前述のプリントドライバと同様であるが、これはクライアント１０３上のファイルをドキュメントサーバ１０２に投げ込むツールであり、プリントドライバがクライアント１０３上のアプリケーションでデータを立上げて、そのデータをＰＳ（またはＰＣＬ）などのフォーマットに変換してドキュメントサーバ１０２に投げ込むのに対して、ジョブサブミッタは、様々なフォーマットのデータを直接ドキュメントサーバ１０２に送付するためのものである。
【０１２８】
図２１において、設定項目として、１７０２はターゲットとなる出力先を選択する送信先選択カラムである。一般的には前述のＭＦＰ１０４，１０５あるいはプリンタ１０７、あるいはクラスタ設定で登録されたクラスタである。
【０１２９】
１７０６はジョブの中から出力ページを選択するページ設定カラムであり、ドキュメントサーバ１０２またはクライアントコンピュータ１０３内にある任意のファイルを選んでドキュメントサーバ１０２に投げ込むことが可能となる。１７０５はソースファイルで、フィールドＦｉｌｅを特定する設定カラム１７０７〜１７０９がある。
【０１３０】
更に、詳細設定を行うためには、プロパティキー１７０４があり、ここをクリックすると次項のジョブチケットメニューが現れる。所望の設定が済めば、ＯＫキー１７１０によりジョブがドキュメントサーバ１０２に送信され、取り消す場合には、キャンセルキー１７１１により取り止めることができる。
【０１３１】
〔ジョブチケット〕
図２２は、図１に示したドキュメントサーバ１０２またはクライアント１０３に接続される表示装置に表示されるジョブチケット設定ウインドウ１８０１の一例を示す図であり、図２０に示したようなプリントドライバのプロパティキー１６０７、または図２１に示したジョブサブミッタのプロパティキー１７０４をクリックすると、図２２に示すようなジョブチケット設定画面（ジョブチケット設定ウインドウ２１０１）が現れる。
【０１３２】
図２２において、ジョブチケットは、ＭＦＰ１０４，１０５やプリンタ１０７、またはクラスタ設定にて作成されたクラスタなどデバイス固有の機能をユーザが自由に選択する設定画面で、ターゲットとなる図２０に示す出力先１６０２または図２１に示す出力先１７０２に応じて、プリンタドライバにおけるプロパティと同様にデバイス固有の情報をもとに別々の設定項目１８０２が表示される。その際にユーザは任意の設定項目１８０３を選択できる。
【０１３３】
そして、所望の設定が済めば、ＯＫキー１８０４によりジョブサブミッタの画面に戻り、取り消す場合には、キャンセルキー１８０５により取り止める。
【０１３４】
〔デバイスステータス〕
ＭＦＰ１０４，１０５あるいはプリンタ１０７内のネットワークインターフェース部分にはＭＩＢ（Ｍａｎａｇｅｍｅｎｔ　Ｉｎｆｏｒｍａｔｉｏｎ　Ｂａｓｅ）と呼ばれる標準化されたデータベースが構築されており、ＳＮＭＰ（Ｓｉｍｐｌｅ　Ｎｅｔｗｏｒｋ　Ｍａｎａｇｅｍｅｎｔ　Ｐｒｏｔｏｃｏｌ）というネットワーク管理プロトコルを介してネットワーク上のコンピュータと通信し、ＭＦＰ１０４，１０５をはじめとして、ネットワーク上につながれたデバイスの状態をドキュメントサーバ１０２（またはクライアントコンピュータ１０３）と必要な情報の交換が可能である。
【０１３５】
例えば、ＭＦＰ１０４，１０５の装備情報としてどんな機能を有するフィニッシャ部２１０が接続されているかを検知したり、ステータス情報として現在エラーやジャムが起きていないか、プリント中かアイドル中かなど検知したり、ＭＦＰ１０４，１０５の装備情報、装置の状態、ネットワークの設定、ジョブの経緯、使用状況の管理、制御などあらゆる静的情報を入手することが可能となる。
【０１３６】
図２３は、図１に示したドキュメントサーバ１０２またはクライアント１０３に接続される表示装置に表示されるデバイスステータスをあらわすユーティリティのＧＵＩ（Ｇｒａｐｈｉｃ　Ｕｓｅｒ　Ｉｎｔｅｒｆａｃｅ）の一例を示す図である。
【０１３７】
図２３において、例えばＭＦＰ１０５ａのタブ１９０２が選択された場合に、ＭＦＰ１０５ａのデバイスの装備情報がグラフィック１９０３であらわされ、１９０４，１９０５にて装置の状態が判断できる。また、１９０７の詳細表示キーにて装備情報などの詳細も知ることが可能である。Ｃａｎｃｅｌキー１９０９を押下すると、デバイスステータスの画面が閉じられる。１９０８はＯＫキーである。
【０１３８】
〔ジョブステータス〕
図２４は、図１に示したドキュメントサーバ１０２またはクライアント１０３に接続される表示装置に表示されるジョブステータスウインドウ２００１の例を示す図であり、例えば３つのステータスで表される例であり、ドキュメントサーバ１０２内にあるジョブの状態を知るジョブステータス２００２、プリンタに渡されたジョブの状況を知らせるプリントステータス２００３、そして、終了したジョブの履歴を知らせるフィニッシュドジョブ２００４である。
【０１３９】
ジョブステータス２００２は、Ｗａｉｔｉｎｇ（ＲＩＰ前）またはＲｉｐｐｉｎｇ（ＲＩＰ中）で表現され、ＲＩＰ後は、次のプリントステータスに渡される。
【０１４０】
プリントステータス２００３は、正常状態ではＷａｉｔｉｎｇ（Ｐｒｉｎｔ待機中）または、Ｐｒｉｎｔｉｎｇ（Ｐｒｉｎｔ中）で表現され、エラーやジャムが生じた場合には、その旨表示されユーザに知らせるプリント後は、次のフィニッシュドジョブに渡される。
【０１４１】
フィニッシュドジョブ２００４は、ジョブの履歴を見ることができ、正常終了の場合にはＰｒｉｎｔｅｄ、途中キャンセル時にはＣａｎｃｅｌｅｄが示される。
【０１４２】
〔ジョブマージツール〕
図２５にてジョブマージツール２１０１を説明する。
【０１４３】
図２５は、図１に示したドキュメントサーバ１０２に表示されるジョブマージツール２１０１の一例を示す図である。
【０１４４】
図２５において、Ｉｍｐｏｒｔ／Ｏｐｅｎキー２１０４で第１のファイルをドキュメントサーバ１０２（またはクライアントコンピュータ１０３）内または、ネットワークに接続されたデバイスやフレキシブルディスクなどから読み出す。これがＣｈａｐｔｅｒ−１であり、２１０２のように表示される。次に再びＩｍｐｏｒｔ／Ｏｐｅｎキー２１０４を押して、第２のファイルを読み出す。これが第１のファイルＣｈａｐｔｅｒ−１に付加される第２のファイルＣｈａｐｔｅｒ−２であり、２１０３のように表示される。同様にして、いくつものファイルを順次付加して、Ｃｈａｐｔｅｒ−３，−４，−５…として付加していくことができる。
【０１４５】
次に、Ｄｅｌｅｔｅキー２１０５はＣｈａｐｔｅｒやＰａｇｅを削除したいときに用い、Ｅｄｉｔキー２１０６は、ヘッダ、フッタ、リナンバリングなどをつけたい場合に用いる。更に、Ｐｒｉｎｔキー２１０７はマージしたジョブをプリントする際にクリックし、クリックすると図２０に示したプリントドライバが起動し、プリントできる。２１０８はＯＫキーで、２１０９はＣａｎｃｅｌキーである。
【０１４６】
〔ジョブの分割〕
次にカラー画像と白黒画像が同一ジョブに混在する場合について説明する。
【０１４７】
図２６は、図１に示したドキュメントサーバ１０２に表示されるカラーページ、白黒ページのそれぞれの出力先を指定するプロパティ画面例を示す図である。
【０１４８】
図２６において、この画面はジョブサブミッタ１７０１の画面のページ設定カラム１７０３においてＣｏｌｏｒ／ＢＷ　Ｓｐｌｉｔを選択した状態でプロパティキー１７０４をクリックすると開く。出力先を選択する枠２２０２の中に、カラーページの出力先の設定カラム２２０３と、白黒ページの出力先の設定カラム２２０５があり、出力先を選択可能である。設定カラム２２０３によって選択した出力先の詳細設定をするにはプロパティキー２２０４を、設定カラム２２０５で選択した出力先の詳細設定をするにはプロパティキー２２０６をクリックすると各出力先に応じた詳細設定画面が開く。
【０１４９】
チェックボックス２２０７は、本発明によって改良された部分である、連続したページを検出した際にステイプルを行うかどうかを設定するチェックボックスである。そして所望の設定が済めば、ＯＫキー２２０８により、ジョブサブミッタの画面に戻り、取り消す場合はキャンセルキー２２０９により取り止める。
【０１５０】
図２７は、本発明に係るサーバ装置におけるデータ処理手順の一例を示すフローチャートであり、図２６に示したチェックボックス２２０７をチェックした場合の処理手順に対応する。なお、Ｓ２３０１〜Ｓ２３１８は各ステップを示し、図１５に示すドキュメントサーバ１０２の制御モジュール（図１５に示す１２０１〜１２０６）により実行される手順であり、ドキュメントサーバ１０２のＲＡＭ１２０８等のメモリ資源にロードされた後、ＣＰＵ等のコントローラにより実行される。
【０１５１】
まず、ドキュメントサーバ１０２に送られてきたジョブは、ステップＳ２３０１で、一旦カラージョブとしてＲＩＰ（図１５に示すＲＩＰ１２０３ａ〜１２０３ｃ等のいずれかによりラスタイメージプロセッシング）される。その後、ステップＳ２３０２において、１ページずつカラーページであるか白黒ページであるかを判断して、カラーページであったと判断した場合は、ステップＳ２３０３において、判断したページが１ページ目かどうかを判断し、１ページ目であったと判断した場合は、ステップＳ２３０４においてカラージョブＪｃを作成し、一方、すでにカラーページが有った場合は、ステップＳ２３０５においてカラージョブＪｃにページを追加する。
【０１５２】
そして、ステップＳ２３０６において、カラーページが連続したかどうかを調べ、もし連続していると判断した場合は、ステップＳ２３０９に進むが、連続していないと判断した場合は、ステップＳ２３０７において、前のページに白黒ページが連続しているかどうかを調べ、もし、前のページが白黒ページで連続していなかったと判断した場合や、このページがジョブの１ページ目だった場合はステイプルすることができないので、ステップＳ２３０９に進むが、前のページにおいて白黒が連続していたと判断した場合は、ステップＳ２３０８において、白黒ジョブＪｂに対し前の白黒ページ範囲にステイプルを行うような情報を付加する。
【０１５３】
その後に白黒ページの出力先の設定カラム２２０５で選択された出力先において検出された白黒ページの範囲にステイプルされる。
【０１５４】
そして、ステップＳ２３０９においては最終ページに到達したかどうかを調べ、最終ページでなかったと判断した場合には、ステップＳ２３１０において、注目するページを１つ進め、ステップＳ２３０２から再び処理を行う。
【０１５５】
一方、ステップＳ２３０２において、白黒ページと判断された場合は、ステップＳ２３１２で、白黒画像として再ＲＩＰを行う。
【０１５６】
そして、ステップＳ２３１３において、判断したページが１ページ目かどうかを判断し、１ページ目であったと判断した場合は、ステップＳ２３１４において白黒ジョブＪｂを作成し、一方、すでに白黒ページが有った場合は、ステップＳ２３１５において白黒ジョブＪｂにページを追加する。
【０１５７】
そして、ステップＳ２３１６において、白黒ページが連続したかどうかを調べ、もし連続していると判断した場合は、ステップＳ２３０９に進むが、連続していないと判断した場合は、ステップＳ２３１７において、前のページにカラーページが連続しているかどうかを調べ、もし、前のページがカラーページで連続していなかったと判断した場合や、このページがジョブの１ページ目だった場合はステイプルすることができないので、ステップＳ２３０９に進むが、前のページにおいてカラーが連続していたと判断した場合は、ステップＳ２３１８において、カラージョブＪｃに対し前のカラーページ範囲にステイプルを行うような情報を付加する。
【０１５８】
その後に、カラーページの出力先の設定カラム２２０５で選択された出力先において検出されたカラーページの範囲にステイプルされる。
【０１５９】
そして、最後にステップＳ２３１１において、最終ページ以前が連続したカラー、もしくは、白黒のページであるかどうかを判断し、連続していた場合には、ステップＳ２３１９において連続範囲にステイプルを行うよう、該当するジョブに情報を付加して、ステップＳ２３２０において、選択された出力デバイス（図２６に示すＵＩを介して設定される）に転送して処理を終了する。
【０１６０】
〔第２実施形態〕
上記第１実施形態では、すべての用紙サイズに対して、連続する白黒ページあるいは連続するカラーページに対してステイプル処理する場合について説明したが、あらかじめ指定した用紙サイズのジョブのみステイプルするように制御してもよい。
【０１６１】
以下、その実施形態として、裁断を行う用紙サイズが選択されていた場合のみにステイプルを行うように、あらかじめ用紙を選択可能な例について説明する。
【０１６２】
図２８，図２９は、本発明の第２実施形態を示すサーバ装置におけるカラーページ、白黒ページのそれぞれの出力先を指定する画面例を示す図であり、図２６に示したドキュメントサーバ１０２に表示されるカラーページ、白黒ページのそれぞれの出力先を指定する画面の変形画面例を示す図である。
【０１６３】
本実施形態に示す図２８に示す画面例では、第１実施形態で説明したカラーページ、白黒ページのそれぞれの出力先を指定する図２６に示した画面に項目を加えて、用紙サイズを指定するためのキー２４０１が追加されている。
【０１６４】
これをクリックして図２９に示すプロパティ画面を開く。
【０１６５】
ここでは、すべての用紙についてステイプルを行うよう指定する場合は、チェックボックス２５０２を選択する。これを選択状態にした場合、他のチェックボックスは選択不能の状態になる。
【０１６６】
また、チェックボックス２５０３において個々の用紙についてステイプルを行うかどうかを指示する。２５０４に示したように、１２×１８という用紙がチェックされているので、ジョブがこの用紙を指定した場合には第１実施形態で説明した手順で綴じ込み指示（例えば図１５に示す出力ジョブ制御部１２０５等がステイプルによる綴じ込みを行う綴じ込み手段を有する画像形成装置に対して、ステイプルコマンド、あるいは糊付けを行う綴じ込み手段を有する画像形成装置に対して、糊付けコマンドを転送指示）を行う。
【０１６７】
なお、この１２×１８は、裁断を前提にしたサイズであり、縦横１インチずつ裁断することで、一般的なサイズである１１×１７を得る。裁断しろにステイプルすることで、裁断によってステイプルされた部分は切り落とされることになり、最終的な印刷物にはステイプルが残らないという利点がある。
【０１６８】
図３０は、本発明の第２実施形態に係るサーバ装置におけるデータ処理手順の一例を示すフローチャートである。
【０１６９】
図３０は、第１実施形態のフローチャート、図２７とほとんど同じであるため、詳細説明は省略するが、図３１のステップＳ３１０７，Ｓ３１１７，Ｓ３１１１では、ステイプル情報を付加する判断をする図２７のステップＳ２７０７，Ｓ２７１７，Ｓ２７１１の判断条件を満たし、かつ、さらにジョブで指示された用紙サイズが、図２５に示したＵＩであらかじめ指定された用紙サイズである場合に、ステイプル指示を出す点が相違点である。
【０１７０】
以下、図３１に示すメモリマップを参照して本発明に係るサーバ装置を適用な印刷システムで読み出し可能なデータ処理プログラムの構成について説明する。
【０１７１】
図３１は、本発明に係るサーバ装置を適用な印刷システムで読み出し可能な各種データ処理プログラムを格納する記憶媒体のメモリマップを説明する図である。
【０１７２】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７３】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７４】
本実施形態における図２７，図３０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７５】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７６】
この場合、記憶媒体から読み出されたプログラムコード自体が本発明の新規な機能を実現することになり、そのプログラムコードを記憶した記憶媒体は本発明を構成することになる。
【０１７７】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１７８】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１７９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８０】
上記実施形態によれば、同一の画像形成装置に連続した複数のページを出力する場合に、ステイプルすることで、前述のミスが発生する可能性を低減することができる。
【０１８１】
また、ステイプルした後、製本する際に、ステイプルによる厚みの増加が問題となる場合がある。しかしながら、製本作業時に裁断を行い、かつ、裁断しろにステイプルされている場合にはこの問題は発生しない。
【０１８２】
そこで、裁断することを前提にした特定の紙サイズが指定されている場合にのみステイプルを行うことで、裁断を行わない場合に誤ってステイプルをすることを回避できる。
【０１８３】
なお、裁断することを前提にしている紙サイズの代表例としては、一般的なサイズの用紙より一回り大きな紙サイズである、ノビサイズが挙げられる。
【０１８４】
また、ステイプル以外の綴じ込み手段例として、糊付けなどもある。
【０１８５】
なお、本発明は上記実施形態に限定されるものではなく、本発明の趣旨に基づき種々の変形が可能であり、それらを本発明の範囲から排除するものではない。
【０１８６】
【発明の効果】
以上説明したように、本発明によれば、クライアントコンピュータより入力されたジョブについて、ページ毎に前記複数の画像形成装置のうち、いずれの画像形成装置に分配すべきかを判断し、該判断結果に基づき、前記クライアントコンピュータより入力されたジョブを前記画像形成装置のうち、いずれか２種類以上の異なるタイプの画像形成装置に分配し、該分配された各分配ジョブをそれぞれの出力特性に合わせて各画像形成装置が出力可能なイメージデータに展開処理して分割ジョブデータを生成した後、該展開された各分割ジョブデータを出力特性に合致するいずれかの画像形成装置に転送するので、分配ジョブ出力後、ユーザによる１つのジョブへの丁合処理時に、ページ順間違い、ページ抜けやページ間違いの丁合ミス等を防止して、ページ順や出力特性に応じた分割ジョブ出力をページが揃った状態で適時綴じ込まれた分割ジョブ出力結果を容易に回収して、適正にページの揃った１つのジョブ出力結果を容易かつミスなく製本できる等の効果を奏する。
【図面の簡単な説明】
【図１】本発明の第１実施形態を示すサーバ装置を適用可能な画像処理システムの構成を説明する概略図である。
【図２】従来の画像処理システムの構成を説明する概略図である。
【図３】図２に示したＭＦＰの構成を説明するブロック図である。
【図４】図３に示したスキャナ部の構成を説明する概略断面図である。
【図５】図３に示したスキャナＩＰ部の構成を説明するブロック図である。
【図６】図３に示したＦＡＸ部の構成を説明するブロック図である。
【図７】図３に示したＮＩＣ部の構成を説明するブロック図である。
【図８】図３に示したコア部の構成を説明するブロック図である。
【図９】図３に示したプリンタＩＰ部の構成を説明するブロック図である。
【図１０】図３に示したＰＷＭ部の構成を説明するブロック図である。
【図１１】図１０に示したＰＷＭ部の動作を説明するためのタイミングチャートである。
【図１２】図２に示したＭＦＰの構成を説明する概略断面図である。
【図１３】図２に示したモノクロＭＦＰの構成を説明する概略断面図である。
【図１４】図３に示したフィニッシャ部の構成を説明する概略断面図である。
【図１５】図１に示したドキュメントサーバの構成を説明するブロック図である。
【図１６】本発明に係る画像処理システムにおけるＰＤＬデータと該ＰＤＬデータから生成される画像イメージを説明する図である。
【図１７】図１に示したネットワークの構成を説明するブロック図である。
【図１８】図１に示したパブリックネットワーク上のデータの流れを説明する図である。
【図１９】図１に示したコンピュータ上にて、スキャン動作を指示するためのスキャナドライバのＧＵＩ（Ｇｒａｐｈｉｃ　Ｕｓｅｒ　Ｉｎｔｅｒｆａｃｅ）の一例を示す図である。
【図２０】図１にドキュメントサーバまたはクライアントに接続される表示装置に表示されるプリンタ操作画面の一例を示す図である。
【図２１】図１にドキュメントサーバまたはクライアントに接続される表示装置に表示されるジョブサブミッタ操作ウインドウの一例を示す図である。
【図２２】図１にドキュメントサーバまたはクライアントに接続される表示装置に表示されるジョブチケット設定ウインドウの一例を示す図である。
【図２３】図１にドキュメントサーバまたはクライアントに接続される表示装置に表示されるデバイスステータスをあらわすユーティリティのＧＵＩ（Ｇｒａｐｈｉｃ　Ｕｓｅｒ　Ｉｎｔｅｒｆａｃｅ）の一例を示す図である。
【図２４】図１にドキュメントサーバまたはクライアントに接続される表示装置に表示されるジョブステータスウインドウ例を示す図である。
【図２５】図１に示したドキュメントサーバに表示されるジョブマージツールの一例を示す図である。
【図２６】図１に示したドキュメントサーバに表示されるカラーページ、白黒ページのそれぞれの出力先を指定するプロパティ画面例を示す図である。
【図２７】本発明に係るサーバ装置におけるデータ処理手順の一例を示すフローチャートである。
【図２８】本発明の第２実施形態を示すサーバ装置におけるカラーページ、白黒ページのそれぞれの出力先を指定する画面例を示す図である。
【図２９】本発明の第２実施形態を示すサーバ装置におけるカラーページ、白黒ページのそれぞれの出力先を指定する画面例を示す図である。
【図３０】本発明の第２実施形態に係るサーバ装置におけるデータ処理手順の一例を示すフローチャートである。
【図３１】本発明に係るサーバ装置を適用可能な画像処理システムで読み出し可能な各種データ処理プログラムを格納する記憶媒体のメモリマップを説明する図である。
【符号の説明】
１０１ａ　パブリックネットワーク
１０１ｂ　プライベートネットワーク
１０２　ドキュメントサーバ
１０３　クライアント
１０４　カラーＭＦＰ
１０５　白黒ＭＦＰ
【図１】
2004078379.tif 000003
【図２】
2004078379.tif 000004
【図３】
2004078379.tif 000005
【図４】
2004078379.tif 000006
【図５】
2004078379.tif 000007
【図６】
2004078379.tif 000008
【図７】
2004078379.tif 000009
【図８】
2004078379.tif 000010
【図９】
2004078379.tif 000011
【図１０】
2004078379.tif 000012
【図１１】
2004078379.tif 000013
【図１２】
2004078379.tif 000014
【図１３】
2004078379.tif 000015
【図１４】
2004078379.tif 000016
【図１５】
2004078379.tif 000017
【図１６】
2004078379.tif 000018
【図１７】
2004078379.tif 000019
【図１８】
2004078379.tif 000020
【図１９】
2004078379.tif 000021
【図２０】
2004078379.tif 000022
【図２１】
2004078379.tif 000023
【図２２】
2004078379.tif 000024
【図２３】
2004078379.tif 000025
【図２４】
2004078379.tif 000026
【図２５】
2004078379.tif 000027
【図２６】
2004078379.tif 000028
【図２７】
2004078379.tif 000029
【図２８】
2004078379.tif 000030
【図２９】
2004078379.tif 000031
【図３０】
2004078379.tif 000032
【図３１】
2004078379.tif 000033